(57)【特許請求の範囲】
【請求項１】
送風ファンの駆動により空気が通過する処理室と、該処理室の下部に設けられ給水タンクからの給水を一定水位で貯水する貯水室と、この貯水室の貯水に下端を水没させた筒状の回転体と、この回転体の外周に間隔を有して位置し、該回転体と共に駆動モータの駆動で回転しこの回転による遠心力で、押し上げられた水を飛散させてぶつけられる円筒状の多孔体と、この多孔体の外周に位置し該多孔体から飛散される水がぶつかる送風筒と、前記多孔体及び送風筒で水が破砕されることで生成するナノミストと負イオンを室内に放出するものに於いて、前記多孔体の下端の内外面を塗装して被覆処理し、洗浄作業時の怪我防止及びナノミストと負イオンの生成量を飛躍的に増えさせるようにした事を特徴とする加湿装置。
【発明の詳細な説明】
【技術分野】
【０００１】
この発明は、使用後の洗浄作業を安全に行うことが出来る加湿装置に関するものである。
【背景技術】
【０００２】
従来よりこの種の加湿装置に於いては、空気中の塵が使用中に貯水室内の水中に混入するので、定期的に使用後洗浄する必要があり、この時、送風ファンと回転体、多孔体を駆動軸から取り外し、送風ファンは単体で、回転体と多孔体は一体のままで、それぞれ良好に洗浄されるものであった。（例えば、特許文献１参照。）
【先行技術文献】
【特許文献】
【０００３】
【特許文献１】特許第３６７１２０２号公報
【発明の概要】
【発明が解決しようとする課題】
【０００４】
ところでこの従来のものでは、多孔体が金網やパンチングメタルで構成されているために、加工時のバリや切断面の凹凸等によって、洗浄作業時に手を怪我する危険があり、安心して洗浄作業出来ないと言う課題を有するものであった。
【課題を解決するための手段】
【０００５】
この発明は上記課題を解決するために、特にその構成を、送風ファンの駆動により空気が通過する処理室と、該処理室の下部に設けられ給水タンクからの給水を一定水位で貯水する貯水室と、この貯水室の貯水に下端を水没させた筒状の回転体と、この回転体の外周に間隔を有して位置し、該回転体と共に駆動モータの駆動で回転しこの回転による遠心力で、押し上げられた水を飛散させてぶつけられる円筒状の多孔体と、この多孔体の外周に位置し該多孔体から飛散される水がぶつかる送風筒と、前記多孔体及び送風筒で水が破砕されることで生成するナノミストと負イオンを室内に放出するものに於いて、前記多孔体の下端の内外面を塗装して被覆処理し、洗浄作業時の怪我防止及びナノミストと負イオンの生成量を飛躍的に増えさせるようにしたものである。
【発明の効果】
【０００７】
以上のようにこの発明によれば、多孔体のバリや切断面の凹凸が発生する下端には、怪我防止用の被覆処理が施してあるので、下端のバリや切断面の凹凸は被覆されてなくなり、洗浄作業で手に怪我をする危険もなく、常に安心して洗浄作業が行われるものであり、更に多孔体の下端内外面を塗装処理したことで、水が弾け易く水滴も順次付着することなく落下し、循環効率も良く、ナノミスト及び負イオンの生成量が飛躍的に増えて、効率良く良好な加湿が行われるものである。
【図面の簡単な説明】
【０００９】
【図１】この発明の一実施形態の加湿装置の概略構成図。
【図２】同多孔体の被覆処理時の説明図。
【図３】同多孔体の要部拡大図。
【図４】同水流阻止手段の斜視図。
【発明を実施するための形態】
【００１０】
次にこの発明の一実施形態の加湿装置について図面に基づいて説明する。
１は加湿器本体で、中央部には蓋体２に固定され吸引口３から吸引された室内空気を、中央で回転駆動するシロッコファンからなる送風ファン４まで案内する円筒状の案内筒５が備えられ、この案内筒５には送風ファン４を覆い該送風ファン４下方まで垂下した送風筒６が設けられている。
【００１１】
７は前記案内筒５を覆った処理室で、該処理室７の下部には円形椀状の貯水室８が設けられており、この貯水室８には給水タンク９がセットされた定水位室１０が通水路１１を介して連通し、給水タンク９からの給水を落差方式で供給され、常時所定水位の給水を貯水しているものである。
【００１２】
１２は貯水室８下方で該貯水室８を支持する駆動モータで、全周をカバー体１３で覆われ加湿器本体１の底部を構成する基板１４に固定されている。
１５は貯水室８の貯水に下部を水没させ、この貯水室８を貫通して送風ファン４を回転させる駆動軸１６に軸支された円筒状の回転体で、この回転体１５は中空状で上方に向かって径が徐々に拡大するものであり、回転体１５は回転することによりこの回転の遠心力で水を押し上げ、上端に形成された複数の飛散口１７から外周に飛散させるものである。
【００１３】
１８は前記回転体１５の上部外周に所定間隔を保持して位置し、該回転体１５と共に回転する円筒状の多孔体で、この回転による遠心力で水及び空気を飛散させ、そして全周壁には多数のスリットや金網やパンチングメタル等からなり、ここでは金網で構成されており、この金網を前記の水及び空気を通過させたり、ぶつけて破砕させることで、水の粒子を微細化してナノミストを生成すると共に、この水の粒子の微細化によるレナード効果で負イオンを発生させるものであり、又多孔体１８を通過した水の粒子は、更に外周の送風筒６の内壁に衝突して微細化されるものである。
【００１４】
又前記多孔体１８の下端は、バリが突出したり、切断面が凹凸となっているので、洗浄作業時に手を怪我しないように、セラミックや樹脂材や塗装で被覆処理１９を施して、バリや切断面の凹凸を覆って安全なものとするものであり、ここでは塗装による被覆の実施について説明すれば、多孔体１８を回転体１５に取り付ける前に、長四角状に伸ばした状態で下端を含む下部について、内外面共にやや厚めに塗料を塗布しバリや切断面の凹凸の被覆処理１９が行われるものである。
【００１５】
２０は貯水室８の貯水中に水没し該貯水を寒さを感じない所定温度、ここでは４０℃前後まで加熱保温する加熱ヒータで、貯水全体を短時間に所定温度まで加熱するために貯水室８より小径の円径とし、貯水室８外壁に取り付けられた貯水の温度センサ２１により、貯水温度が４０℃に達すると制御回路を介して加熱ヒータ２０をＯＦＦしたり、通電ワット数を少なくしこれでも温度上昇した時に初めてＯＦＦし、その後貯水温度が３９℃に低下すると再びＯＮさせるなどの制御を行い、貯水温度を４０℃に保持するようにするものである。
【００１６】
２２は送風筒６や多孔体１８の下端と対向して貯水室８上面を覆った皿状の水流阻止手段で、中央部には回転体１５の挿通穴２３が形成されており、この挿通穴２３から外周に放射状に延びる複数の支持片２４の先端部２４ａによって水面が複数に区画されることで、回転体１５の回転で回転しょうとする水流を阻止し、該回転体１５の回転による遠心力で容易に水流が回転体１５内外周を上昇出来ようにしたものであり、又この水流阻止手段２２は、上方の送風筒６や多孔体１８にぶつかり微細化されなかった比較的大粒の水滴の受けることで、この水滴が直接貯水室８の水面に落下することで発生するバシャ、バシャと言う落下音をも阻止することが出来るものであり、そのために外周から中央部の挿通穴２３に向かって緩やかに下り傾斜しており、水滴を確実に貯水室８に戻すことが出来るものである。
【００１７】
２５は回転体１５と多孔体１８の回転駆動により発生したナノミストと負イオンとを、送風ファン４の駆動で処理室７上部の吹出口２６から放出させる流通路で、この流通路２５は送風筒６と水流阻止手段２２との隙間から、処理室７と案内筒５、送風筒６間を上昇して吹出口２６に向かう流路から構成されている。
【００１８】
２７は貯水室８の底部に連通した排水管２８からの排水を受ける排水トレーで、加湿器本体１内に出し入れ自在に備えられ、表面には手掛け部２９が形成され、定期的に残水の排水が行われるものである。
【００１９】
３０は給水タンク９の給水口キャップで、内装した弁機構（図示せず）を固定された支持部３１で押し上げられることで、落差式の定水位室１０を形成するものである。
３２は給水タンク９を出し入れするタンク蓋、３３は蓋体２を着脱するための持ち手である。
【００２０】
３４は送風ファン４と回転体１５及び多孔体１８を駆動軸１６に固定するための手動式の固定ネジで、内部の洗浄時には緩めることで送風ファン４と回転体１５及び多孔体１８を容易に取り外せるようにしている。
【００２１】
次にこの一実施形態を示す加湿装置の作動を説明する。
今運転スイッチ（図示せず）をＯＮすることで、加熱ヒータ２０がＯＮされ貯水室８内の一定水位の貯水を直接加熱するものであり、そして貯水室８内の貯水が所定温度ここでは４０℃に達したことを温度センサ２１が検知し、制御回路を介して加熱ヒータ２０の通電をＯＦＦすると共に駆動モータ１２を駆動開始させる。
【００２２】
この駆動モータ１２の駆動開始により駆動軸１６に同軸で固定された送風ファン４及び回転体１５が回転され、送風ファン４の回転では、吸引口３から吸引される室内空気を案内筒５を案内として吸引した後、処理室７下方に放出する。
【００２３】
一方回転体１５の回転では、所定温度に加熱された貯水室８内の貯水が、回転体１５下端の回転による遠心力で該回転体１５の外壁及び内壁を伝って押し上げられて上昇し、上端に形成された複数の飛散口１７から外周に向けて飛散され、そして外周に飛散された貯水は、回転体１５の上部外周に所定間隔を保持して位置し、該回転体１５と共に回転する多孔体１８の多孔部分に、ぶつかって破砕したり、多孔体１８を通過したものはこの外周の送風筒６の内壁に衝突して微細化される。
【００２４】
この時、回転体１５の回転によって円形で抵抗がない貯水室８内の貯水が、該回転体１５と同方向に回転する水流を形成しようとするが、水流阻止手段２２の放射状の支持片２４の各先端部２４ａがそれぞれ水面に没して抵抗となり、回転する水流の形成が阻止されるので、遠心力が十分に作用して貯水が回転体１５の周壁上を押し上げられて、上記したように良好に破砕されるものである。
【００２５】
そしてこの加熱された貯水の破砕と微細化により、ナノミストを生成すると共に、レナード効果で負イオンを発生させ、そしてこの発生したナノミストと負イオンを上記した送風ファン４の処理室７下方へ向かう送風で一旦水流阻止手段２２にぶつけて、大きくて重いミストを水流阻止手段２２に落下させて除去した後、微細なナノミストのみと負イオンを、流通路２５を介して上部の吹出口２６から放出して室内の加湿を行うものである。
【００２６】
又この水流阻止手段２２は、上方の送風筒６や多孔体１８にぶつかり微細化されなかった比較的大粒の水滴の落下を受けることで、この水滴が直接貯水室８の水面に落下することで発生するバシャ、バシャと言う落下音をも阻止することが出来るものであり、しかもこの水流阻止手段２２は、外周から中央部の挿通穴２３に向かって緩やかに下り傾斜しているので、落下した水滴は挿通穴２３から確実に貯水室８に戻されるものであり、戻される時の音も静かで済むものである。
【００２７】
更にこの放出されるナノミストは、元々加熱された貯水から生成されているので、肌寒くなく温かいナノミストと負イオンの放出が得られ、直接肌で触れることができると共に冬季でも関係なく使用されるものであり、更に供給されるナノミストは、４０℃前後の高温でも低温でもない丁度良い中間温度であるから、カルキの析出や器具転倒による火傷の危険もなく、安全であり安心して使用されるものである。
【００２８】
又肺から吸引された負イオンは血液中に入り、その還元作用で血液の酸化を阻止し血液サラサラ状態とすると共に、その循環を良くし、末梢血管まで血液を行き渡らせることにより、痛みや懲りを緩和することが出来ると考えられている。
【００２９】
又負イオンにより、疲労回復効果、精神安定効果、血液の浄化効果、抵抗力の増進効果、自律神経調整効果等があり、更にナノミストによって、空気中の隅々まで行き渡り汚れた空気や細菌を抑制し、臭いまでも分解するもので、脱臭効果、除塵効果、除菌効果、勿論加湿効果があるものであり、この加湿はベトツキがないサラサラで潤いのある空気で、毛穴からの浸透でお肌と髪の潤いを保つ効果を有するものであり、これらの効果が得られる負イオンとナノミストを大量に放出されると言うことは、これらの効果も増大するものである。
【００３０】
次に貯水室８内の加熱された貯水が、回転体１５と多孔体１８によって次々とナノミストとして放出されて減少すると、貯水室８の水位が低下し、この低下した水位分の水が給水タンク９から自動的に補水されるものであり、そしてこの補水によって貯水温度が低下すれば、加熱ヒータ２０がＯＮされて貯水温度を常に所定温度に保温するものであり、常に肌に心地良い温度のナノミストを継続して供給出来るものである。
【００３１】
更に給水タンク９内の給水が空になった場合は、タンク蓋３２を開口して給水タンク９を加湿器本体１から取り出して、台所の蛇口から水道水を補給して元に戻せば、再び同じように使用出来るもので、極めて使用勝手が良いものである。
【００３２】
又加湿器本体１の運転停止後、該加湿器本体１の洗浄作業を行う時、先ず固定ネジ３４を緩めて送風ファン４と回転体１５及び多孔体１８を駆動軸１６から取り外して洗浄するもので、この時送風ファン４及び回転体１５は取り外して容易に洗浄出来るが、多孔体１８については、金網で構成され下端にバリや切断面の凹凸で手に怪我をする危険があったが、この発明により、少なくとも下端の内外面を塗装で被覆処理１９したことで、バリや凹凸がなくなり怪我をする心配がいらなくて安心して洗浄出来るものである。
【００３３】
更に多孔体１８の少なくとも下端の内外面は塗装面でツヤツヤしていることで、水が弾け易く水滴も順次付着することなく落下し、循環効率も良く、下端のみでもナノミスト及び負イオンの生成量が飛躍的に増えて、効率良く良好な加湿が常に行われるものであり、万一多孔体１８の全周の内外面を全て塗装した場合には、全周に渡って光沢があり滑り易い塗装面が形成されて、水の弾け量大や水滴の付着量小から、下端のみ以上にナノミスト及び負イオンの発生量が飛躍的に増加し、更に効率の良い加湿が行えるものである。
【符号の説明】
【００３４】
１  加湿器本体
４  送風ファン
６  送風筒
７  処理室
８  貯水室
９  給水タンク
１２  駆動モータ
１５  回転体
１８  多孔体
１９  被覆処理
【図１】
0005513278.tif 000002
【図２】
0005513278.tif 000003
【図３】
0005513278.tif 000004
【図４】
0005513278.tif 000005